(57)【要約】【課題】仮設足場を組み立てる際に、先行して組み立てた既設足場の上に地上で組み立てた新設の足場を吊り上げて継ぎ足す工法において、既設足場の安全性を確保できる作業環境を実現する。【解決手段】外周面に長手方向に貫通する係止孔を備えた管状の定尺寸法の脚柱部材と隣接する脚柱部材に掛け渡される定尺寸法の横掛け材を用いた仮設足場組み立てに使用する吊り用冶具であって、上部が脚柱部材の係止孔に挿入される挿通部であり、中間に係止孔受部が形成され、下部が吊り係止具の通し穴が形成され基礎部である取付け部材を備えた吊り用冶具。【選択図】図１０
2014009453.tif 000002
【特許請求の範囲】
【請求項１】
外周面に長手方向に貫通する係止孔を備えた管状の定尺寸法の脚柱部材と隣接する脚柱部材に掛け渡される定尺寸法の横掛け材を用いた仮設足場組み立てに使用する吊り用冶具であって、
上部が脚柱部材の係止孔に挿入される挿通部であり、中間に係止孔受部が形成され、下部が吊り係止具の通し穴が形成され基礎部である取付け部材を備えた吊り用冶具。
【請求項２】
外周面に長手方向に貫通する係止孔を備えた管状の定尺寸法の脚柱部材と隣接する脚柱部材に掛け渡される定尺寸法の横掛け材を用いた仮設足場組み立てに使用する吊り用冶具であって、
上部が脚柱部材の係止孔に挿入される挿通部であり、中間に係止孔受部が形成され、下部が吊り係止具の通し穴が形成され基礎部である取付け部材であって、
該取付け部材の挿通部の先端部に抜け止め手段が備えられており
取付け部材の基礎部に、横方向連結材が挿通可能な開口と、挿通された横方向連結材の横ずれ防止手段が設けられている枠部材が備えられている、
ことを特徴とする吊り用冶具。  
【請求項３】
枠部材は、係止孔受部から延出された上枠材と、前記基礎部の下部に取り付けられた下枠材と、上枠材と下枠材を連結する前枠材とから構成され、
下枠材又は前枠材には、横ずれ防止部材が挿通される穴が設けられている、
ことを特徴とする請求項２記載の吊り用冶具。
【請求項４】
横掛け材の２本以上の長さを有し、横掛け材の定尺寸法の間隔に横ずれ防止手段と適用構造が設けられている請求項２又は３に記載された吊り用冶具に使用される横方向連結材。
【請求項５】
請求項１、２に記載された吊り用冶具と、請求項４に記載された横方向連結材と、吊り係止具と、横方向連結材を備えた仮設足場吊り用冶具セット。
【請求項６】
吊り係止具は、Ｕ字形のシャックル本体と、その両端脚部に形成された軸穴間に架設されるシャックル軸とを備えたシャックルで構成され、シャックル軸を吊り係止具の通し穴に挿通して、シャックル本体と連結することを特徴とする請求項５に記載された仮設足場吊り用冶具セット。
【請求項７】
請求項５又は６記載の仮設足場吊り用冶具セットにさらに、
仮設足場の奥行き幅よりも大きい幅と、横掛け材の２倍以上の長さを有し、脚柱部材の設置間隔に対応した間隔にワイヤ取付け部材が設けられている左右の縦桟と複数の横桟にて構成される枠体を備えた足場吊り用天秤を備えたことを特徴とする仮設足場吊り用冶具セット。
【請求項８】
外周面に長手方向に貫通する係止孔を備えた管状の定尺寸法の脚柱部材と隣接する脚柱部材に掛け渡される定尺寸法の横掛け材を用いた仮設足場の組み立て工法において、
設置箇所に先行して組み立てられている既設の仮設足場の上に、他所で組み立てられた新設の足場をブロックとして吊り上げて、既設の仮設足場に積み上げて組み立てる、仮設足場の吊り組み立て工法であって、
新設のブロック足場を構成する下側の脚柱部材に設けられている係止孔に請求項１又は請求項２記載の吊り用冶具を取り付けて吊り上げるものであって、
吊り用冶具の挿通部を係止孔に挿通し、吊り係止具の通し穴に吊り用ワイヤを連結した吊り係止具を係止し、吊り用ワイヤをクレーン等で持ち上げて、既設の仮設足場の上に移動させ、既設の脚柱と新設ブロック足場の脚柱を連結して、組み付けることを特徴とする仮設足場の吊り組み立て工法。
【請求項９】
既設足場及び新設ブロック足場の最上部は、床材が横架された位置よりも上部に横杆が連結された状態であって、連結する作業面を既設足場に設けられた最上部の床面とすることを特徴とする請求項８記載の仮設足場の吊り組み立て工法。
【請求項１０】
外周面に長手方向に貫通する係止孔を備えた管状の定尺寸法の脚柱部材と隣接する脚柱部材に掛け渡される定尺寸法の横掛け材を用いた仮設足場の組み立てに工法において、
設置箇所に先行して組み立てられている既設の仮設足場の上に、他所で組み立てられた新設の足場をブロックとして吊り上げて、既設の仮設足場に積み上げて組み立てる際に、請求項７に記載された仮設足場吊り用冶具セットを用いる仮設足場の吊り組み立て工法であって、
新設のブロック足場を構成する下側の脚柱部材に設けられている係止孔に請求項１又は請求項２記載の吊り用冶具を取り付けて吊り上げるものであって、請求項１記載の吊り用冶具を建物側に取り付け、請求項２記載の吊り用冶具を外側に取付け、
外側に取り付けられた吊り用冶具に横方向連結材を挿通して、ズレ防止手段を講じ、
クレーン等に保持された足場吊り用天秤のワイヤ取付け部材から下方に伸ばしたワイヤの先端と、通し穴に係止した吊り係止具とを連結して、吊り用ワイヤをクレーン等で持ち上げて、既設の仮設足場の上に移動させ、既設の脚柱と新設ブロック足場の脚柱を連結して、組み付けることを特徴とする仮設足場の吊り組み立て工法。
【請求項１１】
新設のブロック足場を構成する上側の脚柱部材に吊り係止具の通し穴に環体を取り付けた請求項１記載の吊り用冶具を抜き差し自由に下方又は上方から取り付け、該環体に足場吊り用天秤から伸ばしたワイヤ通過させて、振れ防止手段とすることを特徴とする請求項１０記載の仮設足場の吊り組み立て工法。
【請求項１２】
既設足場及び新設ブロック足場の最上部は、床材が横架された位置よりも上部に横杆が連結された状態であって、連結する作業面を既設足場に設けられた最上部の床面とすることを特徴とする請求項１０又は１１に記載の仮設足場の吊り組み立て工法。
【発明の詳細な説明】
【技術分野】
【０００１】
本発明は、建物の建築や建物の修繕のために使用される仮設足場の組み立て冶具及びその組み立て方法に関する。
【背景技術】
【０００２】
従来、作業現場において、足場組立の専門職人が、仮設足場用の部材を人力で組み立て、また、解体している。２ｍ前後の支柱を上下に連結し、踏み板となる床材を水平に載置して、下方から必要な高さまで多段に組み上げ、終了後に解体する作業である。このような仮設用足場は、３０メートル以上の高さまで組み立てられることもある高所での作業となる。建物の大きさや高さ、形状及び建物の周囲の状況によって、構築される仮設足場の設計が異なるので、縦方向の支柱や水平方向の踏み板は、単位部材を作業現場で組み立てることとなり、人が肉体的に取り扱うことができる程度に設定された単位部材が使用されている。
従来の組立方法は、組立てが上方に進むに従って各部材を持上げなければならず、しかも組立が高所作業となるため、作業能率が極めて悪く、手間と時間がかかると共に、危険を伴う作業である。手すりなどの支えの無い状態で上へ伸ばす作業となり、不安定で危険な作業である。また、解体も同様に、上部から分解を始めて下方へ進めることとなる。実際に作業する現場は、支えが無い状態で部材を下方へ手渡す様な作業となり、落下の危険を伴う。
このような危険な作業を伴う仮設足場を組み立てる職人は、不足しており、さらに、少子高齢化が進み、ますます職人が不足することとなる。
このような多段組み足場の従来例を図１３（ａ）に示した。地面３０１上に土台３０２を介して最下段の脚柱３０３ａが立設され、筋かい３０４ａで固定された後、最下段の足場板３０５ａが取付けられる。次に足場板３０５ａに作業者が乗り、第２段の枠柱３０３ｂが最下段の脚柱３０３ａ上に連結され、筋かい３０４ｂで固定された後、第２段の足場板３０５ｂが取付けられる。以下、同様の作業を繰り返して第３段の脚柱３０３ｃ、筋かい３０４ｂおよび足場板３０５ｃが取付けられ、さらにその上段へと続く。このような従来の多段組み足場の構造では、構成品持上げ用の作業者ａ、中継運搬者ｂ、組立て作業者ｃ等の多くの作業者を必要とし、その工数も多く、作業自体も煩雑で熟練を要する等の問題、及び作業場所が常に最上部であって、手摺などの横杆材が無い状態で脚柱を建てる作業は、落下の危険が大きい。解体撤去に際しても、同様の問題がある。
【０００３】
安全性と作業能率の向上を図るために、単位部材を組み立てたユニットをクレーンなどで吊り上げて、上部に組み付ける工法がいくつか提案されている。
例えば、特許文献１（特開平５−２５９２８号公報）には、クレーンＡに吊り上げられる建て枠用吊具に建て枠を複数段吊らせて所定の設置個所に搬送して、該建て枠を下のものから順に降ろして設置する工程の後に、クレーンＢに吊り上げられる布枠用吊具に布枠を複数吊らせて前記建て枠を設置した個所に搬送して、該布枠を下のものから順に降ろして前記建て枠間に設置する工程を行うようにした足場の組み立て方法が開示されている。この工法は、複数の部材を吊り上げるが、組み立ては一個ずつ行われる。
特許文献２（特開平２−１１２５５８号公報）、特許文献３（特開平５−２５９２７号公報）には、クレーンで組み立てた先行足場を吊り上げながら、下方に継ぎ足して足場を上方に伸ばして組み立てる方法が提案されている。この方法では、継ぎ足し作業は地上で行うことが可能となる。
特許文献４（特開２００３−１３８７４２号公報）には、予め、建枠を数列、数層に連結してなる足場ユニットｄ１、ｄ２を組み立てておき、この足場ユニットｄ１、ｄ２を数列、数層に連結して足場を構築するものであり、上下足場ユニット同士の連結作業は、吊り上げた上側足場ユニットにおける最下層の建枠列の脚杆の下端部を下側足場ユニットの最上層の建枠列の脚杆から突設している連結筒軸に円錐形状のガイド金具を抜き取り可能に取付けておき、このガイド金具から連結筒軸に上側の脚杆の下端部を外嵌させる組み立て方法が開示されている。この組み立て方式を図１３（ｂ）に示す。この方式でも、作業員ａ、ａは手摺などの防護手段が無い状態で作業を行っており、重い足場ユニットの揺れなどによって振り落とされる危険が大きくなる。また、一般的なクレーンの吊り方式である、上端側を吊り持ちしているので、フックの外し作業は、足場ユニットの上方で行う必要があり、不安定な昇降作業及び時間がかかり、クレーン作業の効率が制限される。
また、この文献では、上下の脚柱の位置合わせのために複雑な受けと突起構造を備えた特殊な位置合わせ冶具が用いられており、構造上も複雑であり、高価になる。
特許文献５（特開平９−２６８７５４号公報）には、屈曲自在とした左右の脚柱と上下の横杆とを組み合わせた四方枠を折り畳んだ状態で上下に積み重ね、上方に引き延ばす足場の組み立て方法が開示されている。
【０００４】
特許文献１や特許文献４に開示されたクレーンを用いて吊り上げる方法では、新設する足場の上端側にワイヤをかけて吊り上げる方法がとられており、足場組み立て職人は先行する足場の上面に立って組み立て作業をしている。この継ぎ足し作業環境は、手すりなどが無く、不安定であって、相変わらず危険である。
クレーンの吊り作業の面からは、上側を吊り支持したほうが吊り姿勢が安定するという吊りの基本に即している。また、自重でぶら下がった状態の方が、上下の脚柱の位置合わせのために微調整ができ、都合が良い。この結果、足場の組み立て作業は効率化されるとともに、高所作業の機会は減少したが、作業環境の危険性は相変わらずであり、大きなユニットを扱うことになるので、重大事故のリスクは大きくなっている。
【先行技術文献】
【特許文献】
【０００５】
【特許文献１】特開平５−２５９２８号公報
【特許文献２】特開平２−１１２５５８号公報
【特許文献３】特開平５−２５９２７号公報
【特許文献４】特開２００３−１３８７４２号公報
【特許文献５】特開平９−２６８７５４号公報
【発明の概要】
【発明が解決しようとする課題】
【０００６】
本発明は、仮設足場を組み立てる際に、先行して組み立てた既設足場の上に地上で組み立てた新設の足場を吊り上げて継ぎ足す工法において、既設足場の安全性を確保できる作業環境を実現することを目的とする。
【課題を解決するための手段】
【０００７】
本発明者は、仮設足場では落下防止の安全策として手すり部材などの横杆が通常用いられており、これを吊り上げ組み立て用の足場にも適用することを検討した結果、吊り上げる新設足場の下方側を支持することにより、既設足場の上方側に横杆を設けた状態で作業面を形成できることに着眼し、下方を支持するために冶具を開発し、仮設足場の吊り上げ組み立て作業を安全に行うことができる工法を提供する。
１．外周面に長手方向に貫通する係止孔を備えた管状の定尺寸法の脚柱部材と隣接する脚柱部材に掛け渡される定尺寸法の横掛け材を用いた仮設足場組み立てに使用する吊り用冶具であって、
上部が脚柱部材の係止孔に挿入される挿通部であり、中間に係止孔受部が形成され、下部が吊り係止具の通し穴が形成され基礎部である取付け部材を備えた吊り用冶具。
２．外周面に長手方向に貫通する係止孔を備えた管状の定尺寸法の脚柱部材と隣接する脚柱部材に掛け渡される定尺寸法の横掛け材を用いた仮設足場組み立てに使用する吊り用冶具であって、
上部が脚柱部材の係止孔に挿入される挿通部であり、中間に係止孔受部が形成され、下部が吊り係止具の通し穴が形成され基礎部である取付け部材であって、
該取付け部材の挿通部の先端部に抜け止め手段が備えられており
取付け部材の基礎部に、横方向連結材が挿通可能な開口と、挿通された横方向連結材の横ずれ防止手段が設けられている枠部材が備えられている、
ことを特徴とする吊り用冶具。  
３．枠部材は、係止孔受部から延出された上枠材と、前記基礎部の下部に取り付けられた下枠材と、上枠材と下枠材を連結する前枠材とから構成され、
下枠材又は前枠材には、横ずれ防止部材が挿通される穴が設けられている、
ことを特徴とする２．記載の吊り用冶具。
４．横掛け材の２本以上の長さを有し、横掛け材の定尺寸法の間隔に横ずれ防止手段と適用構造が設けられている２．又は３．に記載された吊り用冶具に使用される横方向連結材。
５．１．、２．に記載された吊り用冶具と、４．に記載された横方向連結材と、吊り係止具と、横方向連結材を備えた仮設足場吊り用冶具セット。
６．吊り係止具は、Ｕ字形のシャックル本体と、その両端脚部に形成された軸穴間に架設されるシャックル軸とを備えたシャックルで構成され、シャックル軸を吊り係止具の通し穴に挿通して、シャックル本体と連結することを特徴とする５．に記載された仮設足場吊り用冶具セット。
７．５．又は６．記載の仮設足場吊り用冶具セットにさらに、
仮設足場の奥行き幅よりも大きい幅と、横掛け材の２倍以上の長さを有し、脚柱部材の設置間隔に対応した間隔にワイヤ取付け部材が設けられている左右の縦桟と複数の横桟にて構成される枠体を備えた足場吊り用天秤を備えたことを特徴とする仮設足場吊り用冶具セット。
８．外周面に長手方向に貫通する係止孔を備えた管状の定尺寸法の脚柱部材と隣接する脚柱部材に掛け渡される定尺寸法の横掛け材を用いた仮設足場の組み立て工法において、
設置箇所に先行して組み立てられている既設の仮設足場の上に、他所で組み立てられた新設の足場をブロックとして吊り上げて、既設の仮設足場に積み上げて組み立てる、仮設足場の吊り組み立て工法であって、
新設のブロック足場を構成する下側の脚柱部材に設けられている係止孔に１．又は２．記載の吊り用冶具を取り付けて吊り上げるものであって、
吊り用冶具の挿通部を係止孔に挿通し、吊り係止具の通し穴に吊り用ワイヤを連結した吊り係止具を係止し、吊り用ワイヤをクレーン等で持ち上げて、既設の仮設足場の上に移動させ、既設の脚柱と新設ブロック足場の脚柱を連結して、組み付けることを特徴とする仮設足場の吊り組み立て工法。
９．既設足場及び新設ブロック足場の最上部は、床材が横架された位置よりも上部に横杆が連結された状態であって、連結する作業面を既設足場に設けられた最上部の床面とすることを特徴とする８．記載の仮設足場の吊り組み立て工法。
１０．外周面に長手方向に貫通する係止孔を備えた管状の定尺寸法の脚柱部材と隣接する脚柱部材に掛け渡される定尺寸法の横掛け材を用いた仮設足場の組み立てに工法において、
設置箇所に先行して組み立てられている既設の仮設足場の上に、他所で組み立てられた新設の足場をブロックとして吊り上げて、既設の仮設足場に積み上げて組み立てる際に、７．に記載された仮設足場吊り用冶具セットを用いる仮設足場の吊り組み立て工法であって、
新設のブロック足場を構成する下側の脚柱部材に設けられている係止孔に１．又は２．記載の吊り用冶具を取り付けて吊り上げるものであって、１．記載の吊り用冶具を建物側に取り付け、２．記載の吊り用冶具を外側に取付け、
外側に取り付けられた吊り用冶具に横方向連結材を挿通して、ズレ防止手段を講じ、
クレーン等に保持された足場吊り用天秤のワイヤ取付け部材から下方に伸ばしたワイヤの先端と、通し穴に係止した吊り係止具とを連結して、吊り用ワイヤをクレーン等で持ち上げて、既設の仮設足場の上に移動させ、既設の脚柱と新設ブロック足場の脚柱を連結して、組み付けることを特徴とする仮設足場の吊り組み立て工法。
１１．新設のブロック足場を構成する上側の脚柱部材に吊り係止具の通し穴に環体を取り付けた請求項１記載の吊り用冶具を抜き差し自由に下方又は上方から取り付け、該環体に足場吊り用天秤から伸ばしたワイヤ通過させて、振れ防止手段とすることを特徴とする１０．記載の仮設足場の吊り組み立て工法。
１２．既設足場及び新設ブロック足場の最上部は、床材が横架された位置よりも上部に横杆が連結された状態であって、連結する作業面を既設足場に設けられた最上部の床面とすることを特徴とする１０．又は１１．に記載の仮設足場の吊り組み立て工法。
【発明の効果】
【０００８】
本発明は、外周に係止孔を複数段に設けた脚柱部材を用いた仮設足場の組み立てを安全に行うことができる。吊り上げる新設足場の下方を支持できる冶具を開発し、下方側を支持することにより、既設足場の上方側に横杆を設けた状態の作業面を形成して、仮設足場の吊り上げ組み立て作業を安全に行うことを実現した。
１．手摺りやブラケットと連結するための係止孔を外周面に備えた脚柱部材を利用した仮設足場の構築において、係止孔に対して請求項１記載の吊り用冶具を用いることにより、下方から着脱操作可能となり、組み付け作業に先行して組み立てられた先行足場に乗った作業員が安全に操作可能となった。
２．請求項２、３記載の吊り用冶具は、上記１．に加えて、横方向連結材を取り付けることができ、隣接する脚柱部材を揃えることができる。部分足場を縦方向に連結する組み立て工法においては、上下方向に複数の脚柱部材を接続することとなり、上下の位置合わせ（芯出し）が重要である。本発明では、横方向に連結材を通すことにより、蛇行などの姿勢を矯正することが可能であって、上下方向の連結作業を容易に行うことができる。
３．請求項４記載の横方向連結材を使用することにより、隣接する脚柱部材の位置を正確にすることができ、上下連結作業を容易に行うことができる。
４．請求項５記載の発明は、請求項１〜４に記載された発明をまとめた仮設足場吊り用冶具セットである。このセットを用いることにより、仮設足場の組み立てを安全、正確、容易に行うことが可能である。
５．請求項６記載の発明は、請求項１、２に記載された吊り用冶具に取り付ける吊り係止具としてシャックルを特定したものである。シャックルを介して吊り用ワイヤを接続する。
６．請求項７に記載の発明は、吊り上げる対象の部分足場を吊り下げる天秤である。吊り用天秤を用いることにより、安定した姿勢に吊り下げて移動し、姿勢を崩すことなく上下の接続作業を行うことができる。
７．請求項８に記載の発明は、組み立て工法に関する発明であって、吊り上げるブロック足場の下方に吊り用冶具を取付けてあるので既設足場上から作業できる工法であり、横方向の連結材は外側に設けて建物とわずかしか離れていない建物側での作業工程数を少なくし、狭隘が環境下の安全性及び建物を傷つけるリスクを小さくする工法である。
８．請求項９記載の発明は、請求項８に記載された仮設足場の組み立て作業を行う作業者の作業面となる既設足場には既に手摺などの横杆が取り付けられた床面を使用することにより、転落の危険を回避した安全な作業ができる工法に関する発明である。
９．請求項１０記載の発明は、上記７．の効果に加えて、吊り用天秤を用いることにより安定した姿勢を保った組み立てが可能となる。
１０．請求項１１記載の発明は、新設ブロック足場の上方にも吊り用冶具を取り付け、吊り下げ用ワイヤを通すことにより、新設ブロックの上側の振れを防止して、新設ブロックがより安定した姿勢で組み立て作業を行うことが可能となる工法である。上側に取り付ける吊り用冶具は抜き差し自由であるので、組み立てが終了した後にワイヤを緩めることにより係止孔から下方側に抜くことができる。
１１．請求項１２記載の発明は、上記９．１０．に加えて、組み立て作業を行う作業者の立つ既設の足場の床面を利用する際に、手摺などの横杆が敷設された状態で安全に組み立て作業を行うことができる工法である。
【図面の簡単な説明】
【０００９】
【図１】仮設足場完成の状態の例を示す図
【図２】仮設足場の構成例を示す図
【図３】ブロック足場を吊り下げた状態を示す図
【図４】係止孔を備えた脚柱部材の全体を示す図
【図５】係止孔を備えた脚柱部材の部分拡大を示す図
【図６】吊り用冶具の一例と横連結部材を組み合わせた例を示す図
【図７】シャックルの例を示す図
【図８】吊り用冶具の他の例を示す図
【図９】吊り用冶具を脚柱部材と組み合わせた状態を示す図
【図１０】吊り用冶具を脚柱部材と組み合わせた状態を示す俯瞰図
【図１１】他の吊り用冶具を脚柱部材と組み合わせた状態を示す俯瞰図
【図１２】吊り用天秤の例を示す図
【図１３】従来の仮設足場組立概略図
【発明を実施するための形態】
【００１０】
本発明は仮設足場の構築に係わる発明である。本発明は、吊り上げる新設足場の下方側を支持する吊り用冶具を開発し、既設足場の床面の上方側に手摺を設けた状態で組み立て作業を実行できる仮設足場の吊り上げ組み立て作業を安全に行うことができる工法を提供する。
仮設足場は、建築物の新設工事や補修工事に使用される。仮設足場の種類は基本部材の形式によって、くさび式足場、枠組み足場、単管足場の主に３つの種類がある。本発明が提供する吊り用冶具は  複数の係止孔を管体の周囲に配置し、且つ係止孔を複数段に設けた脚柱部材を使用する仮設足場に適している。この代表的なものがくさび式足場である。くさび式足場は、安全基準的には約３０ｍの高さまで構築することができる。
本発明は、脚柱部材の係止孔に対して、下方から脱着操作可能な吊り用冶具を開発した。そして、この吊り用冶具を脚柱部材の下側の係止孔に取り付けて、部分的に構築したブロック足場を吊り上げて、先に構築されている既存足場の上につなぎ合わせて組み立てる工法である。ブロック足場の下方側を吊り支持しているので、既存足場の上面の足場に乗った状態でつなぎ合わせる組み立て作業と吊り具の脱着ができる工法である。吊り上げるブロック足場の構成は、踏み板を上下に複数層設ける場合は、最上層の踏み板より、高い位置に手摺を組み付けた構造とする。
下方から脱着可能の吊り用冶具は、係止孔に挿入可能な挿通部と係止孔の下端に当接する係止孔受部と吊り下げ用ワイヤを接続する取付け部を備えている。さらに、横方向に連結する材を取り付ける構成を備えることができる。吊り用冶具の具体的な構成例は吊り用冶具Ａとして図６に、吊り用冶具Ｂとして図８に開示されている。これらの例では、ワイヤとの接続具としてシャックルを用いている。
また、吊り用冶具は、吊り上げるブロック足場の中間部や上部にも配置して、ワイヤと接続して使用することにより、ブロック足場の下部の支持に加えて中間及び上方も押さえられて、ブロック足場は振れが制限され安定された吊り姿勢を維持することができる。
ブロック足場の吊り姿勢を安定化させるために、本発明では、さらに吊り用天秤を用いることができる。吊り用天秤は、縦桟と横桟から構成されるラック状の構造である。吊り上げるブロック足場の平面よりも大きな形状であり、脚柱部材のスパンに応じた箇所にワイヤが取り付け可能になっている。また、上部にはクレーン等の持ち上げ機材に連結するワイヤを取り付ける。この吊り用天秤は、吊り上げるブロック足場の大きさに応じて連結して使用できる分割タイプとすることができる。分割することにより、運搬も容易となる。
本発明では、吊り用冶具、シャックル、横方向連結材、吊り用天秤など一式をまとめた仮設足場吊り用冶具セットを提案している。このセット用いることにより、仮設足場の組み立てを安全に行うことができる。
以下に、具体例をあげて、本発明の実施態様を説明する。
【００１１】
＜全体構成＞
仮設足場は、新築や補修のために行われるビル工事に伴って、ビルなどの建築物に近接して構築される足場である。図１に示すように、完成仮設足場１００は、縦方向に脚柱部材を複数をつなぎ合わせ、横方向には足場板や手摺部材などで連結して建築物２００の周囲に構築される。足場は、規格化された部品を用いて、必要とされる大きさ、形状に合わせて臨時的に構築される。
仮設足場の構成例を図２に示す。地面Ｇに複数のベース４を接地して水平基準を出す。ベース部材４は、建築物に対して前後に所定間隔を設けて配置される。このベース４の上に脚柱部材１を立設し、前後に並列して設けられる。前後の脚柱間１，１にはブラケット５が掛け渡され、横方向に隣接する脚柱部材１、１間に手摺３が掛けられ、ブラケット５、５間に踏板２を掛け渡される。仮設足場は、壁つなぎ６によって建築物２００に連結されている。仮設足場は、特許文献１〜４に記載されるように、縦方向と横方向に組み立てられる。
【００１２】
本発明においては、例えば、図３に示される脚柱部材を３本縦継ぎし、横方向に４スパンに形成したブロック足場１５０を吊り上げて、先行して構築された既設足場の上に組み立てる。
ブロック足場１５０の下部に吊り用冶具Ａ２０が取り付けられ、上部には吊り用冶具Ｂ３０が必要に応じて取り付けられている。吊り用冶具Ａ２０には、吊り下げ用の足場ワイヤ７８を取り付けて、ブロック足場１５０の下方を支持して吊り下げて移動し、組み立て作業を行う。図３（ａ）は、ブロック足場１５０を外側から見た正面図であり。図３（ｂ）には、横断面が模式的に表示されている。ブロック足場１５０の建物側には横連結部材５０を設けないこともある。横連結部材を省略することにより、組み立て作業を簡単にすることができ、狭隘な建物側での作業を容易かつ安全性を向上させることができる。また、吊り用冶具Ｂは中間の高さに複数配置しても良い。
【００１３】
図２に記載されたブロック足場１５０は、３本の脚柱部材が縦に接続され、横方向に５列脚柱部材が配列されており、踏み板２が３層設けられ、踏み板の上方に手摺３が２本配置されている。脚柱部材１．８ｍ、踏み板と手摺が１．８ｍ、幅が６０ｃｍとして構成した場合、このブロック足場は高さ５．４ｍ、横幅７．２ｍで約６００ｋｇの重量となる。部品同士は結合手段として、差し込み連結を中心にして組み立てられているので、吊り天秤を用いて規則正しく吊り下げることが正確性を確保する上で重要である。このような横幅のブロック足場の５列の脚柱部材を横一列に並べるためには吊り用冶具Ａ２０に横連結材５０を通して、規制することが有効である。吊り下げるブロックを小さくすれば、天秤や、横連結材を用いることなく操作することは可能である。
１本の脚柱部材には、係止孔が４５ｃｍ間隔で４段に設けられているので、このブロック足場の最上層の踏み板２から上方に４５ｃｍと９０ｃｍの高さに手摺があることとなる。先行して組み立てられている既設足場にも同様の構成となっている。したがって、既設の最上段の踏み板からブロック足場１５０の下端は容易に手が届く範囲にある。吊り用冶具Ａ２０は、最下段の係止孔まで約１３５ｃｍとなるので吊り用冶具Ａ２０の操作を手摺の付いた作業面に立って行うことができるので、安全性が確保できる。
吊り上げるブロック足場の構成は、踏み板を上下に複数層設ける場合は、最上層の踏み板より、高い位置に手摺を組み付けた構造とする。
【００１４】
＜吊り用冶具について＞
本発明で用いられる吊り用冶具の基本構成は、上記したとおりである。具体的な実施態様を図６及び図８に示す。
図６に示された吊り用冶具Ａは、横連結材を通す空隙を設けた例である。図６（ａ）は、横方向連結材５０を挿通した状態の吊り用冶具Ａの側面図であり、図６（ｂ）は、正面図を示している。抜止部材５３は図６（ａ）では省略しており、横ずれ防止材５１は図６（ｂ）では省略している。
吊り用冶具Ａは、脚柱部材の係止孔に挿入される挿通部２１を上部に備え、下部にシャックルを通す通し孔２４が形成された基礎部２３を備え、基礎部２３と挿通部２１の間に係止孔部材受部２２が配置されている。この係止孔部材受部２２を一部とする枠部材２５を、基礎部２３を囲むように設ける。枠部材２５は、係止孔部材受部２２を上枠部材２５ａとし、前枠部材２５ｂ、下枠材２５ｃ及び下枠材の先端を折り曲げて基礎部２３の背面に接続している。本例では、基礎部２３と前枠材２５ｂとの間隔及び基礎部２３の下辺と下枠材２５ｃとの間隔によってＬ形に開口２６が形成されている。Ｌ形の開口２６は、横方向連結材としてＬ型材を用いた場合に、通す形状として適している。
挿通部２１の上部には抜止孔２７が形成されている。また、前枠部材２５ｂにはピン孔２８が形成されている。これらの孔にはピンなどを挿通する。抜止孔２７は、脚柱部材の係止孔に挿通部２１を差し込み、上部側に飛び出た状態でこの係止孔２７にＵ字型の抜止部材５３を挿通して抜止機能を果たす。前枠部材２５ｂに設けられたピン孔２８には、横方向連結材５０に設けたピン孔５２とを重ねてＵ字型の横ずれ防止材５１を挿通して、横ずれ防止機能を果たす。横ずれ防止材５１と抜止部材５３とをＵ字型ピンとすることにより、差し込んだ際に自然と「ｎ形」の姿勢となって、特にボルトなどを用いることなく安定する。そして、係合を解除する際にも手作業で簡単に行うことができるので、操作が簡便で扱いやすく、危険を伴う工事では便利である。この２つのＵ字型ピンを共通とすることにより、部品点数を押さえることができる。
挿通部２１と基礎部２３は、負荷が大きくかかるので一体的に高強度材で構成することが好ましい。
吊り用冶具Ａは、吊り対象のブロック足場の下部側に使用することが好ましい。下部側に使用する場合は、通し孔２４にシャックルを通して、シャックルにワイヤの先端に設けたリングやフックを装着する。シャックルの例は図７に例示されている。ただし、ブロック足場の上方や中間に用いることも可能である。中間や上方に使用する場合は、横方向連結材は用いる必要性が小さい。
【００１５】
図８に示された吊り用冶具Ｂは、吊り用冶具Ａの枠部材２５を省略した構成である。
図８（ａ）は、吊り用冶具Ａの側面図であり、図８（ｂ）は、正面図を示している。抜止部材５３は図８（ａ）では省略している。
吊り用冶具Ｂは、脚柱部材の係止孔に挿入される挿通部３１を上部に備え、下部にシャックルを通す通し孔３４が形成された基礎部３３を備え、基礎部３３と挿通部３１の間に係止孔部材受部３２が配置されている。この係止孔部材受部３２の上面が係止孔部材当接面３２ａとなる
挿通部３１の上部には抜止孔３７が形成されている。抜止孔３７は、脚柱部材の係止孔に挿通部３１を差し込み、上部側に飛び出た状態でこの係止孔３７にＵ字型の抜止部材５３を挿通して抜止機能を果たす。挿通部３１と基礎部３３は、負荷が大きくかかるので一体的に高強度材で構成することが好ましい。
吊り用冶具Ｂは、横方向連結材を必要としない場合に使用される。例えば、吊り対象のブロック足場の建物側の下部側に使用する。下部側に使用する場合は、通し孔３４にシャックルを通して、シャックルにワイヤの先端に設けたリングやフックを装着する。シャックルの例は図７に例示されている。
また、ブロック足場の上方や中間に用いて、ワイヤと連結させることによりブロック足場の振れを防止し、姿勢を安定させることができる。中間や上方に使用する場合は、挿通部を脚柱部材の係止孔に対して、下方あるいは上方から挿入することが可能であり、抜止孔３７に抜止部材を適用するか否かが作業性などを勘案して決めることができる。上方や中間に使用する吊り用冶具Ｂは、振れ止め機能であって、荷重を支える必要は無い。挿通部を十分に長く構成すると、ブロック足場を吊り上げているときに挿通部３１が脚柱部材の係止孔から抜け出し防止に有効である。
【００１６】
抜止孔２７、３７、ピン孔２８、５２には、Ｕ字形のピンなどの抜防止材を挿通して、脚柱部材や横方向連結材と吊り用冶具Ａ、Ｂと接合している。この抜防止材は、ボルトとナットの組み合わせ、割ピン、傾動ピンなど操作性や紛失防止の観点から選択使用することができる。そして、これらの抜防止材は、共通の仕様とすることにより、部品点数を少なくし、狭隘な現場作業の負荷を低減することができる。
【００１７】
＜吊り用冶具とワイヤの連結部材＞
吊り上げるブロック足場の下方に取り付ける吊り用冶具Ａ又は吊り用冶具Ｂとクレーンから伸びるワイヤとを連結部材を介して結合する。  それぞれの吊り用冶具Ａ、Ｂの基礎部に形成された通し孔２４、３４に挿通して使用される。例えば、図７に示すシャックル６０を用いることができる。Ｕ形のシャックル本体６１とシャックルボルト６２から構成されている。シャックル本体の両端部にはシャックルボルトを通す穴が形成されており、少なくとも一方の穴には雌ネジが形成されている。シャックルボルトの一方の先端は穴を通過できない様に膨出部であり、他方の先端は雄ねじが形成されて、両者が螺合する。
このほか、フック、リング、チェーンなども使用することができる。
ブロック足場の上方あるいは中間に使用する吊り用冶具とワイヤとの連結は、吊り用冶具を下方から脚柱部材の係止孔に挿入する場合は、上記シャックル、フック、リング、チェーンなどを吊り用冶具に取り付け、シャックルにワイヤを通し、シャックルに対して下方から当接して落下防止を図るクリップなどをワイヤの所定位置に取り付ける。吊り用冶具を上方から脚柱部材の係止孔に挿入する場合は、上記シャックル、フック、リング、チェーンなどを吊り用冶具に取り付け、シャックルにワイヤを通す。ワイヤにクリップを設けておくこともできる。ブロック足場を既存の足場に連結作業が終了した後にワイヤを上方に揚げることによって、上方や中間の吊り用冶具は係合が解除される。
【００１８】
＜横方向連結材＞
横方向連結材は、吊り上げるブロック足場に存在する横方向に数列設けられている脚柱を一列に整列させて、既存の足場の脚柱と位置合わせをスムーズに行うために設けられる。図３に例示したブロック足場１５０では、脚柱部材が５列あり、建物側と合わせて１０本脚柱部材を上下に接続する必要がある。ほぼ水平な状態で同時に接合することとなるので、脚柱部材の内径の範囲に誤差が収まる様に各脚柱部材の位置を規制することが望ましい。したがって、その長さは、吊り上げる足場の全幅をカバーすることが好ましい。
図６には、横方向連結材５０の例としてＬ型の鋼材が示されている。横方向連結材５０の長さは図３（ａ）に示されるようにブロック足場１５０の横幅全体の長さに相当している。
横方向連結材には、脚柱部材を所定間隔に合わせて位置を固定できるように、位置規制を行う手段を設ける。例えば、横方向連結材に所定間隔で穴を設け、吊り用冶具に設けられた穴と重ねてピンを刺し通して両者を固定する。本例ではＬ型の横方向連結材５０に適した空間形状に吊り用冶具の開口２６を形成している。横方向連結材は、丸棒、角材、パイプ材などを使用することが可能であり、これらを接続することができる機構を備えていれば、開口形状あるいは開口以外の接続手段を講ずることが可能である。Ｌ型材は２片が平面であり、湾曲抵抗が大きく剛性があって、転がりにくいなど安定した形状であるので適している。さらに、横方向連結材は、ズレを防止して隣接する脚柱部材のスパン間隔を所定の長さに特定するために、規定されたスパンの間隔を離して形成されたピン孔５２と前枠材２５ｂに形成されたピン孔２８とをＵ形の横ずれ防止材５１にて連通して、両者の所定のスパン間隔に固定する機能を持たせる。
【００１９】
＜吊り用天秤＞
吊り用天秤は、ブロック足場を吊り下げる台座である。クレーンでブロック足場を吊り上げる場合に安定した姿勢を保つために、クレーンとブロック足場の間に介在させる。
吊り用天秤は、縦桟と横桟から構成されるラック状の構造である。吊り上げるブロック足場の平面よりも大きな形状であり、脚柱部材のスパンに応じた箇所にワイヤが取り付け可能になっている。また、上部にはクレーン等の持ち上げ機材に連結するワイヤを取り付ける。この吊り用天秤は、吊り上げるブロック足場の大きさに応じて連結して使用できる分割タイプとすることができる。分割することにより、運搬も容易となる。
図１２に吊り天秤機構７０の例を開示する。図１２（ａ）は吊り天秤の平面図、（ｂ）は正面図、（ｃ）は断面図、（ｄ）は斜視図である。吊り天秤機構７０は、ラック状の吊り天秤７１とクレーン吊り輪７６に連結する玉掛ワイヤ７７とブロック足場を吊り下げる足場ワイヤ７８から構成される。
吊り用天秤７１は、左右に配置された縦桟７２と複数の横桟７４をラックの基本構成とし、縦桟には玉掛ワイヤ７７と足場ワイヤ７８を接続する吊り板７３が縦桟に取り付けられている。吊り板７３、７３・・は、仮設足場の脚柱部材の間隔に設けられている。そして吊り板７３の上下にワイヤ連結手段が設けられている。図示の例では、ワイヤ連結孔７３ａ、７３ｂが形成されている。
右側縦桟７２Ｒ、左側縦桟７２Ｌ及び横桟７４の材料としては、角柱パイプが適している。天秤の強度と軽量化の観点から中空材が好ましい。吊り用天秤は、図３に記載されたブロック足場１５０の例では、横７．２ｍ、高さ５．４ｍで約６００ｋｇの大きさであるので、これを撓むことなく水平に保つ強度が求められる。角柱パイプを使用しても、吊り用天秤は約３００ｋｇ程度の重量になる。縦桟７２は分割タイプとして、ブロック足場の大きさに合わせて結合して使用することが可能である。図１２（ａ）では、連結部材７５を２箇所設けて、３分割タイプの例を示している。分割することにより運搬性も向上する。
図示の例では玉掛ワイヤ７７は両端と中央の３本を使用している。足場ワイヤ７８は３．６ｍ間隔になるように両端と中央の３本を使用している。図１２（ｃ）では、断面が示されており、角柱パイプ材の断面が現れている。また、玉掛ワイヤ７７は前後の吊り板７３、７３にも結合されている。足場ワイヤ７８、７８も当然前後にも結合されている。
【００２０】
＜吊り用冶具の使用状態＞
吊り用冶具を脚柱部材の係止孔部材に取り付けた状態を  図９、１０、１１に示している。
本発明が適用される脚柱部材１の例を図４に示す。脚柱部材１は中空の管体を基本とし、上端側を管体の内部に挿入可能な太さである上端継ぎ部１５になっている。脚柱部材の長さは、挿入部分を除いた有効部分が６２ｃｍ、９０ｃｍ、１８０ｃｍ、２７０ｃｍ、３６０ｃｍなどに規格化されている。図示の例は、１８０ｃｍの長さの例を示している。この脚柱部材には係止孔部材１１が管体の外面に９０度間隔で４つ配置され、４５ｃｍ間隔で４段設けられている。係止孔には手摺部材やブラケットなどの両端に設けられた鉤形のくさびを挿入して使用される。係止孔部分の拡大図を図５に示す。四方に設けられた係止孔部材１１ａ、１１ｂ、１１ｃ、１１ｄである。係止孔部材１１は、上下に貫通する係止孔１２が形成されている。下端側は係止部材下辺１３となっている。
上端継ぎ部１５及び下端部にはピン穴１６、１６が形成されており、脚柱部材１の下端部１４を上端継ぎ部１５に被せて差し込み、抜け止め用のピンをピン穴に取り付けて脚柱部材１，１を上下に結合する。
【００２１】
この脚柱部材１の係止孔部材１１に吊り用冶具Ａを取り付けた状態を図９に示す。この図示の例は、ブロック足場の下端側に吊り用冶具を取り付けた例である。
吊り用冶具Ａの挿通部２１を係止孔１２の下方から挿入し、上方に突出させ、抜け止め孔２７にＵ字形の抜止部材５３を挿入して、脚柱部材１と吊り用冶具Ａと結合する。吊り用冶具Ａの枠部材２５の上枠部材２５ａが係止孔部材受部２２を兼用しており、係止部材下辺１３と当接する。基礎部２３に形成された通し孔２４にシャックルボルト６２を通してシャックル本体６１と螺合してシャックル６０を取り付ける。開口２６にＬ型の横方向連結材５０を挿入し、Ｕ字形のピン材である横ずれ防止材５１を前枠部材２５ｂと横ずれ防止材５１に設けられているピン孔に連通する。シャックル６０は足場ワイヤの先端に設けられたフックを係合する。
図１０は、吊り用冶具Ａを脚柱部材１の係止孔部材１１ａに挿入した状態の斜視図を示している。図９の側面図から、抜け止め孔２７、横方向連結材５０、シャックル６０及び横ずれ防止材５１を省略した状態を示している。詳細説明は図９と同様であるので省略する。
【００２２】
この脚柱部材１の係止孔部材１１ａに吊り用冶具Ｂを取り付けた状態を図１１に示す。
吊り用冶具Ｂの挿通部３１を係止孔部材１１ａの下方から挿入し、上方に突出させて、脚柱部材１と吊り用冶具Ｂと結合する。吊り用冶具ＡＢの係止孔部材受部３２の係止孔部材当接面３２ａが係止部材下辺１３と当接する。
図示は省略するが、基礎部３３に形成された通し孔３４にシャックルを取り付けることができる。
吊り用冶具Ｂはブロック足場下端側、上方部、中間に取り付けることができる。中間あるいは上方部に取り付ける場合は、挿通部３１を係止孔部材１１に対して上方から挿入する使用法もできる。
【００２３】
＜組み立て工法１＞
本発明は、建築現場の工事に用いられる仮設足場の組み立て工法であって、仮設足場を上方に継ぎ足す際に、一旦、部分的に構築したブロック足場を吊り上げて、先行して組み立てられている既設足場の上に移動させて、上下の脚柱部材を連結する工法である。
本発明の組み立て工法は、複数の係止孔部材を管体の周囲に配置し、且つ係止孔部材を複数段に設けた脚柱部材を使用する仮設足場に適している。一般的に、くさび式足場と称される形式の足場に適用できる工法である。
ブロック足場を構成する下側の脚柱部材に設けられている係止孔部材に吊り用冶具Ａ又は吊り用冶具Ｂを取り付け、吊り係止具Ａ又はＢの通し穴を利用して、クレーン等の揚重機構に取り付けられた吊り用ワイヤと取り付けて、クレーン等で持ち上げて、既設の仮設足場の上に移動させ、既設の脚柱と新設ブロック足場の脚柱を連結して、組み付ける工法である。吊り上げるブロック足場の構成は、踏み板を上下に複数層設ける場合は、最上層の踏み板より、高い位置に手摺等の横杆を組み付けた構造とする。
吊り上げるブロック足場の下方を支持しているので、既存の足場の作業床面から容易に手が届く範囲で継ぎ足し作業を行うことができる。先行する既存の足場の作業面の状態は、踏み板の高さよりも上方に手摺が接地されるので、継ぎ足し作業の最上面の作業床面は、手摺が取り付けられた状態とすることが可能である。既存の作業床面の上方には手摺が設置された状態で作業が可能であるので、上を向いて行う作業であっても、足場を踏み外す危険性が少なく、また、手摺に安全帯取り付けた状態で作業が可能である。
ブロック足場の組み立ては、地上あるいはトラックの荷台などで行うことができる。
【００２４】
＜組み立て工法２＞
本発明が提案する第２の工法は、前記組み立て工法１において、横方向に連結可能な構成である吊り用冶具をブロック足場の建物側で下方に取り付ける工法である。吊り用冶具Ａは、この横方向連結可能な吊り用冶具に相当する。この横方向連結材によって、脚柱部材が所定位置に規制される。したがって、上下の脚柱部材の位置合わせが容易となり、高所作業を安全かつ迅速に行うことができる。図３に示された吊り下げられたブロック足場１５０の下方に吊り用冶具Ａ２０を取り付け、横方向連結材５０をこれらの吊り用冶具Ａに接続した例が示されている。
さらに、ブロック足場を構成する脚柱部材の上側及び／又は中間に吊り係止具の通し穴に環体を取り付け、該環体に足場吊り用天秤から伸ばしたワイヤを通過させて、ブロック足場の上方が触れることを防止することにより、ブロック足場の吊り姿勢の安定性をさらに向上させる。この吊り係止具として、吊り用冶具Ｂが適している。吊り用冶具Ｂの挿通部を脚柱部材の係合孔に対して、下方又は上方から挿入する。
吊り用冶具Ｂの挿通部を下方から挿入した場合は、吊りワイヤにクリップなどを取り付けて、吊り用冶具Ｂの落下防止手段とする。ブロック足場を吊り下げている状態では、吊りワイヤは負荷が掛かって緊張した状態であるので、クリップの位置は所定位置にあって、吊り用冶具が係止孔から抜けることは無い。クリップは、着脱可能にネジやバネにてワイヤを挟み込んで固定でき、吊り用冶具Ｂに取り付けられたシャックルよりも大きい形に構成される。ブロック足場を既存の足場に連結した後に、吊りワイヤの下端の連結を解除し、一旦、ワイヤを下に下げると、吊り用冶具は自重によって係合孔から抜け出して係合を解除することができる。
吊り用冶具Ｂの挿通部を上方から挿通した場合は、吊りワイヤの吊り用冶具より下方側にクリップを設けて、ブロック足場を既存の足場に連結した後に、吊りワイヤを上方に揚げるとき、吊り用冶具Ｂをクリップが引っかけて係合孔から抜け出して係合を解除することができる。
【００２５】
＜仮設足場の解体について＞
仮設足場の解体は、組み立て工法と逆に行うことができる。ブロック化して下端側に吊り用冶具を取り付け、ワイヤを取り付けてクレーンで吊り上げて解体する。したがって、解体作業も迅速かつ安全に行うことができる。
【符号の説明】
【００２６】
１  脚柱部材
１１、１１ａ、１１ｂ、１１ｃ、１１ｄ  係止孔部材
１１−１  係止孔部材
１１−２  係止孔部材
１１−３  係止孔部材
１１−４  係止孔部材
１２  係止孔
１３  係止部材下辺
１４  下端部
１５  上端継ぎ部
１６  ピン孔
２  踏板
３  手摺
３１  
３２  
４  ベース
５  ブラケット
６  壁つなぎ
２０  吊り用冶具Ａ
２１  挿通部
２２  係止孔部材受部
２３  基礎部
２４  通し孔
２５  枠部材
２５ａ  上枠部材
２５ｂ  前枠部材
２５ｃ  下枠部材
２６  開口
２７  抜け止め孔
２８  ピン孔
３０  吊り用冶具Ｂ
３１  挿通部
３２  係止孔部材受部
３２ａ  係止孔部材当接面
３３  基礎部
３４  通し孔
３７  抜け止め孔
５０  横方向連結材
５１  横ずれ防止材
５２  ピン孔
５３  抜止部材
６０  シャックル
６１  シャックル本体
６２  シャックルボルト
７０  吊り天秤機構
７１  吊り用天秤
７２  縦桟
７２Ｒ  右側縦桟
７２Ｌ  左側縦桟
７３  吊り板
７３ａ、７３ｂ  ワイヤ連結孔
７４  横桟
７５  連結部材
７６  クレーン吊り輪
７７  玉掛ワイヤ
７８  足場ワイヤ
１００  完成仮設足場
１５０  ブロック足場
２００  建築物
Ａ、Ｂ  吊り用冶具
Ｇ  地面
【図１】
2014009453.tif 000003
【図２】
2014009453.tif 000004
【図３】
2014009453.tif 000005
【図４】
2014009453.tif 000006
【図５】
2014009453.tif 000007
【図６】
2014009453.tif 000008
【図７】
2014009453.tif 000009
【図８】
2014009453.tif 000010
【図９】
2014009453.tif 000011
【図１０】
2014009453.tif 000012
【図１１】
2014009453.tif 000013
【図１２】
2014009453.tif 000014
【図１３】
2014009453.tif 000015